(57)【特許請求の範囲】
【請求項１】
露光用の開口部を有する地板と、露光用の開口部を有し前記地板に結合されるカバー板とを備え、前記地板及びカバー板により、前記露光用の開口部を開閉又は絞る羽根を移動可能に支持して収容する羽根室を画定するカメラ用シャッタの支持筐体であって、
前記地板は、前記地板の外縁領域に形成されかつ前記外縁領域から径方向外側に向かって伸びる掛止爪をもつフック部と、前記地板の外縁領域に形成されかつ前記外縁領域から径方向内側に向かって伸びる掛止爪を先端にもち弾性変形可能に形成されたスナップフック部と、前記カバー板を受ける受け部と、を有し、
前記カバー板は、前記フック部に掛止される被掛止孔と、前記被掛止孔が前記フック部に掛止された後に前記スナップフック部に掛止される被掛止部と、を有する、
ことを特徴とするカメラ用シャッタの支持筐体。
【請求項２】
前記カバー板は、非磁性材料により形成された薄板状の金属板である、
ことを特徴とする請求項１記載のカメラ用シャッタの支持筐体。
【請求項３】
前記地板は、前記フック部の近傍に位置決め突起を有し、
前記カバー板は、前記位置決め突起を受け入れる位置決め孔を有する、
ことを特徴とする請求項１又は２に記載のカメラ用シャッタの支持筐体。
【請求項４】
前記受け部は、複数の受け部からなり、
前記複数の受け部の少なくとも一つの受け部は、前記フック部の近傍に配置されている、
ことを特徴とする請求項１ないし３いずれかに記載のカメラ用シャッタの支持筐体。
【請求項５】
前記スナップフック部は、前記掛止爪を有する弾性変形可能な腕部を固定する付け根部が、前記カバー板を結合する側と反対側に突出した位置に形成されている、
ことを特徴とする請求項１ないし４いずれかに記載のカメラ用シャッタの支持筐体。
【発明の詳細な説明】
【０００１】
【発明の属する技術分野】
本発明は、露光用の開口部を開閉又は絞る羽根を移動可能に支持して収容するカメラ用シャッタの支持筐体に関する。
【０００２】
【従来の技術】
カメラ用のシャッタ羽根あるいは絞り羽根を収容する従来の支持筐体は、図６及び図７に示すように、露光用の開口部１ａをもつ円板状の地板１と、同様に開口部２ａをもつ円板状のカバー板２とにより構成され、両者により挟まれる空間に羽根Ｓを収容する羽根室Ｗを画定している。
【０００３】
地板１には、外縁領域において、掛止爪１ｂ´をもつフック部１ｂ、掛止爪１ｃ´をもつスナップフック部１ｃ、カバー板２の内側面（下側面）を受ける受け部１ｄ等が、樹脂材料を用いて一体的にモールド（金型成形）されている。
一方、カバー板２には、フック部１ｂに掛止される被掛止部２ｂ及びスナップフック部１ｃに掛止される被掛止部２ｃがその外縁部として、樹脂材料を用いて一体的にモールド（金型成形）されている。
【０００４】
【発明が解決しようとする課題】
ところで、上記従来の支持筐体においては、フック部１ｂの掛止爪１ｂ´が、地板１の径方向内側に向かうように形成されている。したがって、地板１にフック部１ｂを一体的に成形する場合には、下側に分割する下側金型の抜き孔１ｅが必要になり、別個の挿入金型（飛び込み）を用いる関係上、地板１の上面側でフック部１ｂの近傍の所定範囲には、位置決め用のピンあるいは受け部等の突起物を成形することができないという問題があった。
【０００５】
また、カバー板２として、樹脂材料等の成形板からなる比較的厚みＨｏの大きいものを用いる場合、スナップフック部１ｃの突出高さＴｏも比較的長く設定できる。したがって、スナップフィット結合を行なう際に必要な所定レベル以上の弾性変形を確保することはできるものの、カバー板として薄板、例えば薄板の金属板を用いる場合、スナップフック部１ｃの高さが必然的に低くなるため、十分な弾性変形を確保することができず、スナップフィット結合が困難になるという問題があった。
【０００６】
一方、スナップフック部１ｃを形成せず、ネジ等により締結する手法もあるが、ネジ等の別個の部品が必要になり、部品の管理工数が増え、製品としてもコスト増加になるという問題があった。
【０００７】
本発明は、上記従来技術の問題点に鑑みて成されたものであり、その目的とするところは、金型による成形（モールド）の容易化、低コスト化等を図るとともに、フック部の近傍に種々の突起物を一体的に成形でき、又、薄板状のカバー板をスナップフィット結合により取り付ける際にスナップフック部の弾性変形を十分確保できるカメラ用シャッタの支持筐体を提供することにある。
【０００８】
【課題を解決するための手段】
本発明のカメラ用シャッタの支持筐体は、露光用の開口部を有する地板と、露光用の開口部を有し地板に結合されるカバー板とを備え、地板及びカバー板により、露光用の開口部を開閉又は絞る羽根を移動可能に支持して収容する羽根室を画定するカメラ用シャッタの支持筐体であって、上記地板は、地板の外縁領域に形成されかつ外縁領域から径方向外側に向かって伸びる掛止爪をもつフック部と、地板の外縁領域に形成されかつ外縁領域から径方向内側に向かって伸びる掛止爪を先端にもち弾性変形可能に形成されたスナップフック部と、カバー板を受ける受け部とを有し、上記カバー板は、フック部に掛止される被掛止孔と、被掛止孔がフック部に掛止された後にスナップフック部に掛止される被掛止部とを有する、ことを特徴としている。
この構成によれば、フック部の掛止爪が、地板の径方向外側（面の広がり方向外側）に向かって伸びるように形成されているため、別個の挿入金型（飛び込み）等を省略でき、金型成形を簡略化できる。また、挿入金型用の孔の成形が不要になり、フック部の近傍に種々の突起物、例えば、位置決めピン、受け部等を一体的に成形することが可能になる。
【０００９】
上記構成において、カバー板は、非磁性材料により形成された薄板状の金属板である、構成を採用できる。
この構成によれば、フック部の掛止爪が径方向外側を向いているため、薄板状の金属板からなるカバー板であっても、無理な力を及ぼすことなく、先ず被掛止孔を径方向外側からフック部に掛止させ、その後、被掛止部をスナップフック部にスナップフィット結合させることにより、容易に組み付けることができる。
【００１０】
上記構成において、地板はフック部の近傍に位置決め突起を有し、カバー板は位置決め突起を受け入れる位置決め孔を有する、構成を採用できる。
この構成によれば、フック部の掛止爪が径方向外側に伸びる故に、フック部の近傍に位置決め突起を一体的に成形することができ、その配置場所がフック部の近傍であるが故に、カバー板を組み付ける際に、予め位置決めを確実に行なった状態で、スナップフィット結合を行なうことができ、両者を確実にかつ高精度に結合することができる。
【００１１】
上記構成において、受け部は複数の受け部からなり、複数の受け部の少なくとも一つの受け部はフック部の近傍に配置されている、構成を採用できる。
この構成によれば、フック部の近傍に受け部があるため、カバー板をより堅固に結合することができる。
【００１２】
上記構成において、スナップフック部は、掛止爪を有する弾性変形可能な腕部を固定する付け根部が、カバー板を結合する側と反対側に突出した位置に形成されている、構成を採用できる。
この構成によれば、スナップフック部の弾性変形する腕部を地板の反対側まで伸ばしたことにより、カバー板が例え薄板状のものであっても、スナップフィット結合に要する所定レベル以上の弾性変形を十分確保することができ、カバー板が変形する程の無理な力を加えることなく、容易に組み付けることができる。
【００１３】
【発明の実施の形態】
以下、本発明の実施の形態について、添付図面を参照しつつ説明する。
図１ないし図４は、本発明に係るカメラ用シャッタの支持筐体の一実施形態を示すものであり、図１は地板及びカバー板の断面図、図２は地板の平面図及び断面図、図３はカバー板の平面図、図４は羽根が組み付けられた状態での地板の平面図及びカバー板が結合された状態での平面図である。
【００１４】
この支持筐体は、図１に示すように、露光用の開口部１０ａを有する地板１０と、同様に露光用の開口部２０ａを有し地板１０に結合されるカバー板２０とにより構成されており、両者が結合された状態で、図１（ｂ）に示すように、露光用の開口部１０ａ，２０ａを開閉又は絞る羽根Ｓを移動可能に支持して収容する羽根室Ｗを画定するようになっている。
【００１５】
地板１０は、樹脂材料を用いて略円板状にモールド（金型成形）されて、図１及び図２に示すように、開口部１０ａの中心を通る直線上において、一端側の外縁領域にフック部１１を有し、他端側の外縁領域にスナップフック部１２を有する。フック部１１は、地板１０の径方向外側（Ｄ方向）に向かって伸びる掛止爪１１ａをもつように形成されている。スナップフック部１２は、地板１０の径方向内側に向かって伸びる掛止爪１２ａを先端にもち腕部１２ｂの付け根部１２ｃが、地板１０の反対側に突出して位置するように形成されている。
【００１６】
また、地板１０には、図２に示すように、羽根室Ｗを画定する側の表面上において、外縁部領域において周方向に略９０度間隔で配置されてカバー板２０の一側面（内側面）を受ける４個の受け部１３と、位置決め突起としての１個の位置決めピン１４と、カバー板２０の回転を規制する１個の回り止めピン１５とが一体的に形成されている。
【００１７】
ここで、位置決めピン１４と一つの受け部１３´とは、フック部１１に近接した領域に配置されている。すなわち、フック部１１の掛止爪１１ａが径方向外側に向かって伸びるように形成されているため、金型成形であっても、位置決めピン１４及び受け部１３´を、フック部１１の近傍に配置することが可能となるものである。尚、位置決めピン１４及び受け部１３´の位置は、図２に示す位置に限らず、フック部１１により近接した位置に配置することも可能である。
【００１８】
このように、フック部１１の近傍に受け部１３´が配置されることで、カバー板２０の結合がより堅固になり、又、フック部１１の近傍に位置決めピン１４が配置されることで、カバー板２０を組み付ける際に位置決めを確実に行なった状態でスナップフィット結合を行なうことができる。
【００１９】
さらに、地板１０には、シャッタ羽根あるいは絞り羽根としての羽根Ｓに関連するものとして、羽根室Ｗを画定する側の表面外縁部領域において、羽根Ｓを回動自在に支持する２個の支持軸１６と、羽根Ｓが開口部１０ａ，２０ａを開放した位置にて羽根Ｓのそれ以上の移動を規制する２個の開き側ストッパ１７と、羽根Ｓが開口部１０ａ，２０ａを閉鎖した位置にて羽根Ｓのそれ以上の移動を規制する２個の閉じ側ストッパ１８とが一体的に形成されている。また、２個の支持軸１６の間には、駆動モータ３０の駆動ピン３１（図４参照）を移動自在に収容する開口１９が形成されている。
【００２０】
一方、カバー板２０は、非磁性材料からなる薄板状の金属板（ここでは、黄銅（真鍮）からなる金属板）を、図３に示すように、略円板状にプレス成形したものであり、開口部２０ａの中心を通る直線上において、一端側の外縁領域にフック部１１に掛止される略矩形形状の被掛止孔２１を有し、他端側の外縁領域にスナップフック部１２に掛止される被掛止部２２を有する。
【００２１】
また、カバー板２０には、図３に示すように、外縁部領域において、被掛止孔２１の近傍に位置付けられて位置決めピン１４を受け入れる位置決め孔２３と、被掛止部２２の近傍に位置付けられて回り止めピン１５を受け入れる長孔２４ととが形成されている。
【００２２】
さらに、カバー板２０には、羽根Ｓを回動自在に支持する支持軸１６を受け入れる２個の貫通孔２５と、開き側ストッパ１７を逃げる２個の切り欠き部２６と、閉じ側ストッパ１８を逃げる２個の切り欠き部２７と、２個の貫通孔２５の間において駆動モータ３０の駆動ピン３１（図４参照）を移動自在に収容する開口２８とが形成されている。
【００２３】
次に、上記支持筐体の組み付け手順について、図１及び図４を参照しつつ説明する。先ず、図４（ａ）に示すように、地板１０の上面において、羽根Ｓの支持孔Ｓ１に支持軸１６を通して羽根Ｓを回動自在に配置する。尚、ここでは、その他関連部品の取り付けについては省略する。
【００２４】
続いて、図１（ａ）に示すように、カバー板２０を、地板１０の径方向外側から内側に向かうように移動させて、被掛止孔２１をフック部１１（掛止爪１１ａ）に掛止させる。そして、位置決め孔２３に位置決めピン１４を挿入させるようにカバー板２０を地板１０に近づけていく。
【００２５】
位置決め孔２３に位置決めピン１４が入り込むと同時に、フック部１１及び被掛止孔２１の連結関係との協働により、カバー板２０が地板１０に対してほぼ位置決めされることになる。そして、その状態でカバー板２０を近づけて長孔２４に回り止めピン１５を挿入させつつ、被掛止部２２を上方から押圧する。
この押圧作業の際に、フック部１１、フック部１１の近傍にある受け部１３´及び位置決めピン１４と、被掛止孔２１、被掛止孔２１の近傍にあるカバー板２０の内側面（下側面）、及び位置決め孔２３との相互の係合関係により、カバー板２０は地板１０に対して部分的に固定されると共に確実に位置決めされることになる。
【００２６】
そして、スナップフック部１２は、被掛止部２２の外縁部が掛止爪１２ａの傾斜部を押すことで、外側（Ｒ方向）に押し広げられるように弾性変形し、掛止爪１２ａの下側にカバー板２０の被掛止部２２を受け入れると同時に、図１（ｂ）に示すように、元の直立位置に弾性復帰する。
【００２７】
ここで、スナップフック部１２は、その腕部１２ｂを固定する付け根部１２ｃが、地板１０のカバー板２０を結合する側と反対側に突出した位置に形成されて腕部１２ｂが十分な長さＴ１に形成されているため、スナップフィット結合に要する所定レベル以上の弾性変形が確保され、カバー板２０が変形するような無理な力（押圧力）を加えなくても、適度の力で容易にスナップフィット結合を行なうことができる。
【００２８】
上記結合により、カバー板２０は、下側から４個の受け部１３により支持されると共に、上側からフック部１１の掛止爪１１ａ及びスナップフック部１２の掛止爪１２ａにより押し付けられて、地板１０に対して堅固に結合される。そして、地板１０とカバー板２０との結合により、両者の間には羽根室Ｗが画定され、羽根Ｓが開口部１０ａ，２０ａを開放する開放位置と閉鎖する閉鎖位置との間を回動自在に支持されることになる。
【００２９】
上記のように、この支持筐体によれば、フック部１１の掛止爪１１ａの向きを外側に向け、スナップフック部１２の腕部１２ｂを地板１０の反対側まで伸ばして弾性変形可能な長さを確保するという、簡略な構造を採用することで、金型成形の簡略化、組み付け作業の容易化、組み付け精度の高精度化、低コスト化等を行なうことができる。
【００３０】
図５は、本発明に係る支持筐体の他の実施形態を示す地板の平面図である。尚、前述の実施形態と同一の構成については、同一の符号を付してその説明を省略する。この支持筐体においては、図５に示すように、フック部１１とスナップフック部１２とが配列された開口部１０ａを通る直線上において、フック部１１よりも径方向の内側でかつその近傍に、第２の受け部１３ａを一体的に成形したものである。
【００３１】
このように、フック部１１の内側近傍において受け部１３ａを形成したことにより、カバー板２０の支持及び結合がより堅固に行われることになる。ここで、フック部１１の内側近傍において、突起物としての受け部１３ａを金型成形（モールド）できるのは、掛止爪１１ａを径方向外側（Ｄ方向）に伸びるように設けたことによるものである。
尚、受け部１３ａの位置は、これに限定されず、フック部１１に対してさらに近接した位置、あるいは、受け面積がより大きい受け部を形成することも可能である。
【００３２】
上記実施形態においては、支持筐体の輪郭を画定する地板１０及びカバー板２０として、円板状のものを示したが、これに限定されるものではなく、外輪郭が略矩形形状をなすもの、あるいはその他の形状をなすものを採用することができる。また、上記実施形態においては、カバー板２０として、薄板の金属板からなるものを示したが、これに限定されるものではなく、樹脂材料を用いて薄板状に成形されたカバー板であってもよい。
【００３３】
【発明の効果】
以上述べたように、本発明のカメラ用シャッタの支持筐体によれば、露光用の開口部を開閉又は絞る羽根を移動可能に支持して収容する羽根室を画定する地板及びカバー板において、地板に一体的に成形するフック部の掛止爪を、径方向外側に向かって伸びるように設けることにより、金型成形が簡略化でき、又、フック部の近傍に種々の突起物、例えば、位置決めピン、受け部等を一体的に成形することが可能になる。
特に、カバー板として非磁性材料により形成された薄板状の金属板を採用しても、フック部の掛止爪が径方向外側を向いているため、無理な力を及ぼすことなく、スナップフィット結合により容易に組み付けることができる。
【００３４】
また、フック部の近傍に位置決め突起及び位置決め孔を設けることにより、カバー板を組み付ける際に、位置決めを確実に行なった状態で、スナップフィット結合を行なうことができ、両者を確実にかつ高精度に結合することができる。
また、地板に複数の受け部を設ける共にその少なくとも一つの受け部をフック部の近傍に配置することにより、カバー板をより堅固に結合することができる。
さらに、スナップフック部の付け根部をカバー板を結合する側と反対側に突出した位置に設けることにより、弾性変形可能な腕部の長さを十分確保することができる。これにより、カバー板が例え薄板状のものであっても、スナップフック部の変形が容易になり、カバー板を容易に組み付けることができる。
【図面の簡単な説明】
【図１】本発明に係る支持筐体の一実施形態を示すものであり、（ａ）はカバー板をスナップフィット結合する前の断面図、（ｂ）はカバー板を地板に完全に結合した状態を示す断面図である。
【図２】図１に示す実施形態に係る地板を示すものであり、（ａ）はその平面図、（ｂ）はその断面図である。
【図３】図１に示す実施形態に係るカバー板を示す平面図である。
【図４】図１に示す実施形態に係る支持筐体を示すものであり、（ａ）は地板に羽根が組み込まれた状態を示す平面図、（ｂ）はカバー板が組み付けられた状態を示す平面図である。
【図５】本発明に係る支持筐体の他の実施形態を示す地板の平面図である。
【図６】従来の支持筐体を示すものであり、（ａ）はカバー板をスナップフィット結合する前の断面図、（ｂ）はカバー板を地板に完全に結合した状態を示す断面図である。
【図７】従来の支持筐体を示すものであり、（ａ）は地板に羽根が組み込まれた状態を示す平面図、（ｂ）はカバー板が組み付けられた状態を示す平面図である。
【符号の説明】
Ｓ  羽根
Ｄ  径方向の外側方向
Ｗ  羽根室
１０  地板
１０ａ  露光用の開口部
１１  フック部
１１ａ  掛止爪
１２  スナップフック部
１２ａ  掛止爪
１２ｂ  腕部
１２ｃ  付け根部
１３，１３´，１３ａ  受け部
１４  位置決めピン（位置決め突起）
１５  回り止めピン
１６  支持軸
１７  開き側ストッパ
１８  閉じ側ストッパ
２０  カバー板
２０ａ  露光用の開口部
２１  被掛止孔
２２  被掛止部
２３  位置決め孔
２４  長孔
２５  貫通孔
２６，２７  切り欠き部
【図１】
0004021172.tif 000002
【図２】
0004021172.tif 000003
【図３】
0004021172.tif 000004
【図４】
0004021172.tif 000005
【図５】
0004021172.tif 000006
【図６】
0004021172.tif 000007
【図７】
0004021172.tif 000008